(57)【要約】【課題】呼接続後に実施される信号の導通に関わる部位の故障検出が可能な基地局を提供する。【解決手段】本発明の基地局１は、上位装置（ＲＮＣ４）からの制御信号に基づいて、無線部５から入力される上り信号及び上位装置４から入力される下り信号に対してベースバンド処理を行う複数のベースバンド処理部２と、上位装置４からの制御信号に基づいて、複数のベースバンド処理部２を監視する呼管理部３と、を備える。呼管理部３は、上位装置４からの制御信号に基づいて、各々のベースバンド処理部２のシフトダウン数を数えるカウント部３１と、カウント部３１が数えた各々のベースバンド処理部２のシフトダウン数が、予め設定された回数より多いか否かを判定する判定部３２と、を備える。【選択図】図１
2011009912.tif 000002
【特許請求の範囲】
【請求項１】
上位装置からの制御信号に基づいて、無線部から入力される上り信号及び前記上位装置から入力される下り信号に対してベースバンド処理を行う複数のベースバンド処理部と、
前記上位装置からの制御信号に基づいて、前記複数のベースバンド処理部を監視する呼管理部と、を備え、
前記呼管理部は、前記上位装置からの制御信号に基づいて、各々の前記ベースバンド処理部のシフトダウン数を数えるカウント部と、
前記カウント部が数えた各々の前記ベースバンド処理部のシフトダウン数が、予め設定された回数より多いか否かを判定する判定部と、
を備える基地局。
【請求項２】
前記判定部は、以下の式に基づいて、前記カウント部が数えた各々の前記ベースバンド処理部のシフトダウン数が、予め設定された回数より多いか否かを判定することを特徴とする請求項１に記載の基地局。
｜Ｒ−Ｚ｜＞β
但し、Ｒは判定対象のベースバンド処理部におけるシフトダウン数、Ｚは判定対象以外のベースバンド処理部におけるシフトダウン数、βは予め設定された回数
【請求項３】
前記判定部は、予め設定された回数よりシフトダウン数が多い前記ベースバンド処理部に対し、前記上位装置へ警告信号を出力するように要求することを特徴とする請求項１又は２に記載の基地局。
【請求項４】
前記カウント部は、一定期間毎の各々の前記ベースバンド処理部のシフトダウン数を数え、前記シフトダウン数を前記判定部に出力することを特徴とする請求項１乃至３のいずれか１項に記載の基地局。
【請求項５】
前記ベースバンド処理部には、複数のチャネルが割り振られていることを特徴とする請求項１乃至４のいずれか１項に記載の基地局。
【請求項６】
前記ベースバンド処理部は、ベースバンド処理を行う複数のリソースを有することを特徴とする請求項５に記載の基地局。
【請求項７】
各々の前記ベースバンド処理部は、シフトダウン数が予め設定された回数より多いことを外部に通知する通知部をさらに備えることを特徴とする請求項１乃至６のいずれか１項に記載の基地局。
【請求項８】
上位装置からの制御信号に基づいて、無線部から入力される上り信号及び前記上位装置から入力される下り信号に対してベースバンド処理を行う複数のベースバンド処理部を備える基地局の故障検出方法であって、
前記上位装置からの制御信号に基づいて、複数の前記ベースバンド処理部を監視し、
前記上位装置からの制御信号に基づいて、各々の前記ベースバンド処理部のシフトダウン数を数え、
前記数えた各々のベースバンド処理部のシフトダウン数が、予め設定された回数より多いか否かを判定する基地局の故障検出方法。
【請求項９】
以下の式に基づいて、各々の前記ベースバンド処理部のシフトダウン数が、予め設定された回数より多いか否かを判定することを特徴とする請求項８に記載の基地局の故障検出方法。
｜Ｒ−Ｚ｜＞β
但し、Ｒは判定対象のベースバンド処理部におけるシフトダウン数、Ｚは判定対象以外のベースバンド処理部におけるシフトダウン数、βは予め設定された回数
【請求項１０】
予め設定された回数よりシフトダウン数が多い前記ベースバンド処理部に対し、前記上位装置へ警告信号を出力するように要求することを特徴とする請求項８又は９に記載の基地局の故障検出方法。
【請求項１１】
一定期間毎の各々の前記ベースバンド処理部のシフトダウン数に基づいて、各々の前記ベースバンド処理部のシフトダウン数が、予め設定された回数より多いか否かを判定することを特徴とする請求項８乃至１０のいずれか１項に記載の基地局の故障検出方法。
【発明の詳細な説明】
【技術分野】
【０００１】
本発明は、基地局及び基地局の故障検出方法に関する。
【背景技術】
【０００２】
ベースバンド方式の伝送方式を採用する場合、基地局は、自己に設定される呼の量に応じて、複数のベースバンド処理部を備えた構成とされる。複数のベースバンド処理部は、下り信号に対して符号化（coding）、上り信号に対して復号化（decoding）等のベースバンド処理を行う。
【０００３】
このような基地局の故障検出方法としては、実際にベースバンド処理部内で生成された試験信号を内部疎通させ、期待値と照合することにより、いずれのベースバンド処理部に故障が生じているかを検出していた。
【０００４】
しかしながら、このような基地局の故障検出方法は、試験対象となるベースバンド処理部の稼働を一時的に停止する必要がある。そのため、基地局を正常に稼働させるための故障検出によって、逆に基地局の稼働効率が低下することになる点が問題となる。
【０００５】
そこで、ベースバンド処理部を稼働させつつ、いずれのベースバンド処理部に故障が生じているかを検出する技術が、特許文献１乃至３に開示されている。
特許文献１の技術は、各々のベースバンド処理部の蓄積呼数及びそのうちの異常呼数をカウントし、当該蓄積呼数及びそのうちの異常呼数に基づいて、いずれのベースバンド処理部に故障が生じているかを検出している。
特許文献２の技術は、各々のベースバンド処理部で処理される信号のビットエラーレートを測定し、当該ビットエラーレートの測定結果に基づいて、いずれのベースバンド処理部に故障が生じているかを検出している。
特許文献３の技術は、各々のベースバンド処理部の発着呼若しくは呼接続の成功率を監視し、当該発着呼若しくは呼接続の成功率に基づいて、いずれのベースバンド処理部に故障が生じているかを検出している。
【先行技術文献】
【特許文献】
【０００６】
【特許文献１】特開２００８−８５５６８号公報
【特許文献２】特開２００８−４８１６０号公報
【特許文献３】特開２００８−２２７６１８号公報
【発明の概要】
【発明が解決しようとする課題】
【０００７】
特許文献１及び２の技術は、上り信号に対するdecoding動作に関する故障検出を行うものである。そのため、下り信号に対するcoding動作に関する故障検出を行うことができない。
特許文献３の技術は、上り信号に対するdecoding動作及び下り信号に対するcoding動作に関する故障検出を行うことができる。しかし、特許文献３の技術は、単に発着呼若しくは呼接続の成功率を監視しているだけなので、呼接続後に実施される信号の導通に関わる部位の故障検出が不可能である。
【０００８】
本発明の目的は、上述した課題を解決する基地局及び基地局の故障検出方法を提供することにある。
【課題を解決するための手段】
【０００９】
本発明の基地局は、上位装置からの制御信号に基づいて、無線部から入力される上り信号及び前記上位装置から入力される下り信号に対してベースバンド処理を行う複数のベースバンド処理部と、前記上位装置からの制御信号に基づいて、前記複数のベースバンド処理部を監視する呼管理部と、を備え、前記呼管理部は、前記上位装置からの制御信号に基づいて、各々の前記ベースバンド処理部のシフトダウン数を数えるカウント部と、前記カウント部が数えた各々の前記ベースバンド処理部のシフトダウン数が、予め設定された回数より多いか否かを判定する判定部と、を備える。
【００１０】
本発明の基地局の故障検出方法は、上位装置からの制御信号に基づいて、無線部から入力される上り信号及び前記上位装置から入力される下り信号に対してベースバンド処理を行う複数のベースバンド処理部を備える基地局の故障検出方法であって、前記上位装置からの制御信号に基づいて、複数の前記ベースバンド処理部を監視し、前記上位装置からの制御信号に基づいて、各々の前記ベースバンド処理部のシフトダウン数を数え、前記数えた各々のベースバンド処理部のシフトダウン数が、予め設定された回数より多いか否かを判定する。
【発明の効果】
【００１１】
本発明によれば、呼接続後に実施される信号の導通に関わる部位の故障検出が可能である。
【図面の簡単な説明】
【００１２】
【図１】本発明の実施の形態１の基地局を概略的に示すブロック図である。
【図２】本発明の実施の形態１の基地局の動作フローを概略的に示すフロー図である。
【図３】本発明の実施の形態３の基地局を概略的に示すブロック図である。
【発明を実施するための形態】
【００１３】
本発明の実施の形態に係る基地局及び基地局の故障検出方法について説明する。但し、本発明が以下の実施の形態に限定される訳ではない。また、説明を明確にするため、以下の記載及び図面は、適宜、簡略化されている。なお、本発明では、各ベースバンド処理部に割り当てられる呼の条件は略同一とすることを前提としている。すなわち、各ベースバンド処理部に割り当てられる呼のセクタ、キャリヤは同種のものが割り当てられるものとする。また、一部のベースバンド処理部に呼が偏って割り当てられないものとする。
【００１４】
＜実施の形態１＞
基地局１は、例えばＩＭＴ２０００方式の無線基地局として好適に用いられる。基地局１は、複数のベースバンド処理部２、呼管理部３を備える。
ベースバンド処理部２は、所謂ベースバンドカードである。ベースバンド処理部２は、無線ネットワーク制御装置（ＲＮＣ）４からの制御信号に基づいて、無線部５から入力される上り信号及びＲＮＣ４から入力される下り信号に対してベースバンド処理を行う。すなわち、ベースバンド処理部２には、当該ベースバンド処理部２の空きリソースに対して、個別チャネル、共通チャネル、当該個別チャネルよりも通信レートの低い個別チャネルが割り振られている。ベースバンド処理部２は、上述するようにＲＮＣ４からの制御信号に基づいて、いずれかのチャネルを用いて、上り信号に対して逆拡散、チップ同期、誤り訂正符号、信号の多重分離など、下り信号に対して誤り訂正符号化、フレーム化、データ変調、拡散変調などのベースバンド処理を行う。ちなみに、本実施の形態のベースバンド処理部２は、ベースバンド処理を行うリソースが一つである。
【００１５】
ＲＮＣ４は、所謂上位装置である。ＲＮＣ４は、制御信号処理、保守・運用機能、共通チャネル多重分離機能、ＡＴＭスイッチング機能等を備える。ＲＮＣ４は、上り信号や下り信号の通信レートを設定する。具体的に云うと、ＲＮＣ４は、個別チャネルにおける上り信号及び下り信号のトラヒック量を監視しており、上り信号のトラヒック量が少なくなったり、また、下り信号のトラヒック量が少なくなったりすると、当該個別チャネルから共通チャネルへの切り替えや、より低い通信レートの個別チャネルへの切り替え等の無線リソースの制御を行う。ここでは、このように個別チャネルから共通チャネルへの切り替えや、より低い通信レートの個別チャネルへの切り替えを「シフトダウン」と呼ぶ。
【００１６】
呼管理部３は、ＲＮＣ４からの制御信号に基づいて、複数のベースバンド処理部２を監視する。呼管理部３は、カウント部３１、判定部３２を備える。呼管理部３は、ベースバンド処理部２とＲＮＣ４との間に配置されている。
【００１７】
カウント部３１は、ＲＮＣ４から各々のベースバンド処理部２へ入力されるシフトダウンを指示する制御信号を各ベースバンド処理部２毎にカウントする。すなわち、ベースバンド処理部２には、何らかの事情により上り信号又は下り信号の通信レートを下げるべく、個別チャネルから共通チャネルへレートダウンを指示する制御信号、又は当該個別チャネルより低い通信レートの個別チャネルへレートダウンを指示する制御信号がＲＮＣ４から入力される。もし、ベースバンド処理部２は導通ができない故障カードである場合、当該ベースバンド処理部２は信号を通さないので、シフトダウン数が著しく増加するはずである。そこで、カウント部３１は、当該制御信号に基づいていずれのベースバンド処理部２にどれくらいの回数のシフトダウンが生じているかを数える。具体的に云うと、カウント部３１は、各々のベースバンド処理部２で一定期間内に発生したシフトダウン数を数え、一定期間が経過すると、当該各々のベースバンド処理部２のシフトダウン数を判定部３２に出力する。カウント部３１は、このような動作を繰り返し行う。
【００１８】
判定部３２は、カウント部３１が数えた各々のベースバンド処理部２のシフトダウン数が、予め設定された回数より多いか否かを判定する。すなわち、判定部３２は、以下の式（１）に基づいて、一定期間毎に入力される各々のベースバンド処理部２のシフトダウン数が、予め設定された回数より多いか否かを判定する。
｜Ｒ（ｍ）−Ｚ｜＞β・・・（１）
但し、Ｒ（ｍ）は判定対象のベースバンド処理部ｍにおけるシフトダウン数（ｍ＝１〜ｎ（ｎは基地局に実装されているベースバンド処理部の実装数）、Ｚは判定対象以外のベースバンド処理部２におけるシフトダウン数、βは予め設定された回数
【００１９】
判定部３２は、判定の結果、上記式（１）を満たすシフトダウン数のベースバンド処理部２の情報をＲＮＣ４に出力（通知）する。他のベースバンド処理部２より著しくシフトダウン数が多い、ベースバンド処理部２は故障している可能性が極めて高い。そのため、ＲＮＣ４は、入力された当該情報に基づいて、当該ベースバンド処理部２が故障状態であると判断する。
【００２０】
無線部５は、ベースバンド処理部２でベースバンド拡散された下り信号をＤ／Ｃ変換し、直交変調により無線周波数信号に変換する機能、上り信号を準同期検波し、Ａ／Ｄ変換してベースバンド処理部２に出力する機能などを備える。
【００２１】
このような基地局１は、各々のベースバンド処理部２のシフトダウン数に基づいて、いずれのベースバンド処理部２に故障が生じているかを検出するので、ベースバンド処理部２の稼働状態を保ちつつ、故障したベースバンド処理部２を検出することができる。そのため、当該基地局１の稼働効率が低下することを防ぐことができる。
【００２２】
また、各々のベースバンド処理部２は、実際の呼接続後に実施される信号の導通に関わる部位である。そのため、基地局１は呼接続後に実施される信号の導通に関わる部位の故障検出が可能である。
【００２３】
しかも、基地局１は、判定対象のベースバンド処理部２におけるシフトダウン数と、判定対象以外のベースバンド処理部２におけるシフトダウン数とが、予め設定された回数より多いか否かを判定する。つまり、基地局１は、同条件のベースバンド処理部２を比較するので、シフトダウンがベースバンド処理部２の故障に起因するのか、通信環境などに起因するのかを判定することができる。そのため、故障したベースバンド処理部２の検出精度を向上させることができる。
【００２４】
このような基地局１を用いて、図２に示すように基地局の故障検出方法が実施される。
先ず、ＲＮＣ４は、基地局１に対して任意のタイミングで呼設定を行う。その後、基地局１は、既知の機能により、上り信号又は下り信号に対して予め設定されたベースバンド処理部２を複数のベースバンド処理部２から選択し、選択したベースバンド処理部２に対して制御信号を出力して呼設定を行う。
【００２５】
このとき、呼管理部３は、ＲＮＣ４から出力される制御信号に基づいて、複数のベースバンド処理部２を監視する。すなわち、呼管理部３のカウント部３１は、ＲＮＣ４から出力される制御信号に基づいて、各々のベースバンド処理部２のシフトダウン数を数える。具体的に云うと、カウント部３１は、各々のベースバンド処理部２で一定期間内に発生したシフトダウン数を数え、一定期間が経過すると、当該各々のベースバンド処理部２のシフトダウン数を判定部３２に出力する。カウント部３１は、このような動作を繰り返し行う。
【００２６】
判定部３２は、カウント部３１が数えた各々のベースバンド処理部２のシフトダウン数が、予め設定された回数より多いか否かを判定する。すなわち、判定部３２は、上記式（１）に基づいて、一定期間毎に入力される各々のベースバンド処理部２のシフトダウン数が、予め設定された回数より多いか否かを判定する。判定部３２は、判定の結果、上記式（１）を満たすシフトダウン数のベースバンド処理部２が存在すると、当該ベースバンド処理部２に対し、ＲＮＣ４へ当該ベースバンド処理部２が故障していることを示す警告信号を出力するように要求する。
要求されたベースバンド処理部２は、ＲＮＣ４へ警告信号を出力する。これにより、ＲＮＣ４は、故障したベースバンド処理部２を検出することができる。
【００２７】
このような基地局の故障検出方法は、各々のベースバンド処理部２のシフトダウン数に基づいて、いずれのベースバンド処理部２に故障が生じているかを検出するので、ベースバンド処理部２の稼働状態を保ちつつ、故障したベースバンド処理部２を検出することができる。そのため、当該基地局１の稼働効率が低下することを防ぐことができる。
【００２８】
また、各々のベースバンド処理部２は、実際の呼接続後に実施される信号の導通に関わる部位である。そのため、基地局の故障検出方法は呼接続後に実施される信号の導通に関わる部位の故障検出が可能である。
【００２９】
しかも、基地局の故障検出方法は、判定対象のベースバンド処理部２におけるシフトダウン数と、判定対象以外のベースバンド処理部２におけるシフトダウン数とが、予め設定された回数より多いか否かを判定する。つまり、基地局の故障検出方法は、同条件の他のベースバンド処理部２と比較するので、通信環境などによってシフトダウンが生じても、当該シフトダウンがベースバンド処理部２の故障に起因するのか、通信環境などに起因するのかを判定することができる。そのため、故障したベースバンド処理部２の検出精度を向上させることができる。
【００３０】
＜実施の形態２＞
上記実施の形態１のベースバンド処理部２は、ベースバンド処理を行うリソースを一つしか有していないが、複数のリソースを有していても略同様に実施できる。
【００３１】
基地局１は、既知の機能により、上り信号又は下り信号に対して予め設定されたベースバンド処理部２内のリソースを複数のベースバンド処理部２から選択し、選択したベースバンド処理部２内のリソースに対して制御信号を出力して呼設定を行う。
このとき、呼管理部３は、ＲＮＣ４から出力される制御信号に基づいて、複数のベースバンド処理部２内の複数のリソースを監視する。すなわち、呼管理部３のカウント部３１は、ＲＮＣ４から出力される制御信号に基づいて、各々のベースバンド処理部２内の複数のリソースのシフトダウン数を数える。具体的に云うと、カウント部３１は、各々のベースバンド処理部２内のリソースで一定期間内に発生したシフトダウン数を数え、一定期間が経過すると、当該各々のベースバンド処理部２内のリソースのシフトダウン数を判定部３２に出力する。カウント部３１は、このような動作を繰り返し行う。
【００３２】
判定部３２は、カウント部３１が数えた各々のベースバンド処理部２内のリソースのシフトダウン数が、予め設定された回数より多いか否かを判定する。すなわち、判定部３２は、以下の式（２）に基づいて、一定期間毎に入力される各々のベースバンド処理部２のシフトダウン数が、予め設定された回数より多いか否かを判定する。
｜Ｒ（ｍ、ｋ）−Ｚ｜＞β・・・（２）
但し、Ｒ（ｍ、ｋ）は判定対象のベースバンド処理部ｍ内のリソースｋにおけるシフトダウン数（ｍ＝１〜ｎ（ｎは基地局に実装されているベースバンド処理部の実装数、ｋ＝１〜ｎ'（ｎ'はベースバンド処理部内のリソース数）、Ｚは判定対象以外のベースバンド処理部２におけるシフトダウン数、βは予め設定された回数
【００３３】
判定部３２は、判定の結果、上記式（２）を満たすシフトダウン数のベースバンド処理部２内のリソースが存在すると、当該ベースバンド処理部２に対し、ＲＮＣ４へ当該ベースバンド処理部２が故障していることを示す警告信号を出力するように要求する。
要求されたベースバンド処理部２は、ＲＮＣ４へ警告信号を出力する。これにより、ＲＮＣ４は、故障したベースバンド処理部２を検出することができる。
【００３４】
＜実施の形態３＞
なお、上記実施の形態１、２の基地局は、ＲＮＣ４に故障したベースバンド処理部２を通知する構成のみとされているが、図３に示すように、故障したベースバンド処理部２を外部に対して通知する通知部６を備えていることが好ましい。通知部６は、各々のベースバンド処理部２に設けられている。通知部６は、故障したベースバンド処理部２を修理する人が認識することができるように、発光ダイオードやアラーム等から成る。判定部３２が故障したベースバンド処理部２に対してＲＮＣ４へ警告信号を出力するように指示すると共に、当該ベースバンド処理部２に対して通知部６を動作させるように指示する。これにより、故障したベースバンド処理部２の通知部６が動作するので、ベースバンド処理部２を修理する人が、故障したベースバンド処理部２を簡単に特定することができ、当該ベースバンド処理部２の修理を迅速に行うことができる。
【００３５】
本発明は上記実施の形態に限られたものではなく、趣旨を逸脱しない範囲で適宜変更することが可能である。
上記実施の形態では、上位装置としてＲＮＣを用いたが、この限りでなく、要するに基地局１の動作を司る制御装置であれば良い。
上記実施の形態では、ベースバンド処理部がベースバンドカードで構成されているが、この限りでなく、ベースバンド処理部の形態は特に限定されない。
【符号の説明】
【００３６】
１  基地局
２  ベースバンド処理部
３  呼管理部
４  ＲＮＣ（上位装置）
５  無線部
６  通知部
【図１】
2011009912.tif 000003
【図２】
2011009912.tif 000004
【図３】
2011009912.tif 000005